(57)【特許請求の範囲】
【請求項１】
撮影レンズと、
上記撮影レンズにより結像した被写体像を撮像するための第１の撮像素子と、
上記撮影レンズの結像面に配置されたスクリーンと、
上記スクリーンに結像した被写体像を撮影者の眼に導くための接眼レンズと、
上記スクリーンに結像した被写体像を撮像するための第２の撮像素子と、
上記撮影レンズを透過した被写体光を上記第１の撮像素子と上記第２の撮像素子のいずれか一方に選択的に切り換える光路切換部と、
上記第１の撮像素子及び上記第２撮像素子で撮像された画像を表示する表示部と、
上記第１の撮像素子及び上記第２の撮像素子の出力に基づく被写体像の表示範囲が略一致するように、該第２の撮像素子で撮像可能な領域から上記表示部に画像を表示するための領域を表す情報を記憶する表示領域記憶部と、
を具備し、
上記接眼レンズを介して撮影者に観察される表示領域と、上記第１の撮像素子の出力に基づいて上記表示部に表示される上記被写体像の表示範囲は一致するように予め調整されており、上記表示部は、上記表示領域記憶部に記憶された上記情報に基づいて、上記第２の撮像素子の出力に基づく表示領域を制御することを特徴とする撮像装置。
【発明の詳細な説明】
【技術分野】
【０００１】
本発明は、複数の撮像素子を有する撮像装置に関し、詳しくは、複数の撮像素子で取得した画像を切り換えて表示装置に表示する所謂スルー画表示機能（ライブビュー表示機能、電子ファインダ機能とも言う）を有する撮像装置に関する。
【背景技術】
【０００２】
従来のデジタルカメラにおいては、被写体像の観察は、光学式ファインダにより行っていたが、最近は、光学式ファインダをなくし、または光学式ファインダと共に被写体画像データの記録用に設けられている撮像素子の出力をスルー画表示にも利用するデジタルカメラが提案されている。例えば、特許文献１には、被写体像を記録するためのメイン撮像素子と動画像用のサブ撮像素子を有し、サブ撮像素子の出力に基づいて画像を表示する撮像装置が開示されている。
【０００３】
【特許文献１】特開２０００−１７５１００
【発明の開示】
【発明が解決しようとする課題】
【０００４】
このようなスルー画機能を有するカメラにおいては、メイン撮像素子とサブ撮像素子の出力を切り換えて液晶等の表示装置に表示することが考えら得るが、この場合、光路中の光学素子、例えば、ミラー、スクリーン、結像レンズ等のメカ的または光学的ズレによって、表示装置に表示される表示領域が一致しないおそれがある。即ち、光学的ズレによって画像の拡大、縮小による視野率が異なり、またメカ的ずれによって、スルー画表示用撮像素子の出力による表示領域と、画像記録用撮像素子の出力による表示領域の位置ズレが生じ、また画角がカメラ個々によって異なってくるという不都合が生じる。勿論、各光学素子の位置を個々にメカ的に調節して両画像を一致させることも考えられるが、複数の光学素子が複雑に絡み合っていることからその調整は容易ではない。
【０００５】
本発明はこのような事情に鑑みてなされたものであって、光学ファインダーと複数の撮像素子を有する撮像装置にあって、これらの撮像素子の出力に基づく表示画像と光学ファインダー像の表示領域を、簡単な調整で、略一致させるようにした撮像装置を提供することを目的とする。
【課題を解決するための手段】
【０００６】
上記目的を達成するために本発明の第１の発明は、撮影レンズと、上記撮影レンズにより結像した被写体像を撮像するための第１の撮像素子と、上記撮影レンズの結像面に配置されたスクリーンと、上記スクリーンに結像した被写体像を撮影者の眼に導くための接眼レンズと、上記スクリーンに結像した被写体像を撮像するための第２の撮像素子と、上記撮影レンズを透過した被写体光を上記第１の撮像素子と上記第２の撮像素子のいずれか一方に選択的に切り換える光路切換部と、上記第１の撮像素子、及び上記第２撮像素子で撮像された画像を表示する表示部と、上記第１の撮像素子及び上記第２の撮像素子の出力に基づく被写体像の表示範囲が略一致するように、該第２の撮像素子で撮像可能な領域から上記表示部に画像を表示するための領域を表す情報を記憶する表示領域記憶部と、を具備し、上記接眼レンズを介して撮影者に観察される表示領域と、上記第１の撮像素子の出力に基づいて上記表示部に表示される上記被写体像の表示範囲は一致するように予め調整されており、上記表示部は、上記表示領域記憶部に記憶された上記情報に基づいて、上記第２の撮像素子の出力に基づく表示領域を制御することを特徴とする。
【発明の効果】
【００１２】
本発明によれば、光学ファインダーと複数の撮像素子を有する撮像装置において、光学ファインダー像の位置と第１の撮像素子により撮像する像の位置は予め調整されており、上記第１の撮像素子及び第２の撮像素子の出力に基づく被写体像の表示範囲が略一致するように、上記第２の撮像素子で撮像可能な全領域から、表示部に表示する領域を表す情報を記憶する表示領域記憶部を設け、この情報に基づいて表示制御を行うようにしたので、上記第１の撮像素子及び上記第２の撮像素子の出力に基づく表示画像の表示領域と光学ファインダー像の表示領域を、簡単な調整で、略一致させる撮像装置を提供することができる。
【発明を実施するための最良の形態】
【００１３】
以下、図面に従って本発明を適用した撮像装置としての機能を有するデジタル一眼レフカメラを用いて好ましい実施形態について説明する。
図１はデジタル一眼レフカメラ１の一部を透視した外観斜視図であり、カメラ本体２の正面側には撮像光学系１１を内部に保持するレンズ鏡筒３が着脱可能に装着されている。また、カメラ本体２の左側〈撮影者側から見た右側〉には、デジタル一眼レフカメラ１を保持するためのグリップ部４が配置されており、このグリップ部４の上部には、撮影動作を指示するための２段式スイッチでなるレリーズ釦５が配設されている。この２段式スイッチは、レリーズ釦５の半押しでオンとなるファーストレリーズスイッチ（以下、「１ｓｔレリーズ」と称す）、この半押し状態からさらに押し込んだ全押しでオンとなるセカンドレリーズスイッチ（以下、「２ｎｄレリーズ」と称す）とから構成されている。レリーズ釦５の近傍でカメラ本体２の上面の左側〈撮影者から見た右側〉には、カメラの撮影モードを設定するためのモードダイヤル６が配設されている。このモードダイヤル６は、静止画撮影モードと動画撮影モード等を選択することが可能となっている。このモードダイヤル６の近傍であって、カメラ本体２の背面上部には、各種制御値等を設定するためのコントロールダイヤル７が配設されている。
【００１４】
カメラ本体２の背面２ａには、図２に示すように、被写体像の観察時のスルー画像や撮影後に記録画像〈静止画像および動画像〉を表示するための表示装置であるＬＣＤ（Liquid Crystal Display）３５がやや左下側に配設されている。なお、このＬＣＤ３５のカメラ本体２における配置位置は、図示する背面左下側に限らず、撮影者が観察できる位置であればどこでもよく、また液晶モニタに限らず他の表示装置でも構わない。ＬＣＤ３５の上には、ファインダ光学系の接眼レンズ５４（図３参照）を保護するカバーガラス５５が露呈している。また、ＬＣＤ３５の右側には、ＬＣＤ３５上でカーソルの移動操作を行うための十字釦５９が配設されている。この十字釦５９は、図示される如く、上下左右にそれぞれ釦を有している。この十字釦の上側には、Ａモード表示とＢモード表示を切り換えるための表示モード切換釦６０が配置されており、この表示モード切換釦６０は指標Ａと指標Ｂの２位置に回動可能なスイッチとなっている。Ａモード表示とＢモード表示について後述するが、スルー画表示に使用する撮像素子の切換えに関する。表示モード切換釦６０の右上には、前述したコントロールダイヤル７が配設されており、このコントロールダイヤル７は、グリップ部４を把持する手〈右手〉の親指等で回動操作可能な位置に露呈している。
【００１５】
図１に戻り、デジタル一眼レフカメラの光学系について説明する。前述の撮像光学系１１は、被写体光束を結像するための光学系であって、一眼レフカメラであることから、ファインダ光学系の一部も兼ねている。カメラ本体２内に配置されたメインミラー１２は、撮像光学系１１からの被写体光束を第１撮像素子１４側に通過させるために撮影光学系１１の光路上から退避した第１の姿勢〈図３においてメインミラー１２の実線の位置〉と、第２撮像素子２４側に被写体光束を反射する第２の姿勢〈図３においてメインミラー１２の二点鎖線の位置〉を択一的に取り得るものであり、いわゆるクイックリターンミラーとして構成されている。メインミラー１２は、レリーズ釦５の押圧操作に応じてオンとなる２ｎｄレリーズや、表示モード切換釦６０によるＡモード表示とＢモード表示の切換動作に応じて、後述するＣＰＵ（Central Processing Unit）３１により制御される。
【００１６】
メインミラー１２の背後には、ローパスフィルタ１３が配置されており、これは第１撮像素子１４に導かれる被写体光束から不要な高周波成分を取り除くための光学フィルタである。このローパスフィルタの背後には、前述の第１撮像素子１４が配置されている。メインミラー１２が第１の姿勢をとるときには、第１撮像素子１４上に撮像光学系１１によって被写体像が結像される〈図３参照〉。この第１撮像素子１４は被写体像を電気的信号に光電変換して出力する２次元撮像センサである。本実施形態では高画素の静止画撮影用のカラー撮像機能を有するＣＣＤ（Charge Coupled Devices）を採用しているが、これに限らずＣＭＯＳ（Complementary Metal Oxide Semiconductor）等の二次元撮像素子を使用できることはいうまでもない。
【００１７】
メインミラー１２の右側〈撮影者側から見た左側〉には、透過型のスクリーン２２が配置されている。このスクリーン２２は、半透明な光学素材で形成されており、図３に示すように、スクリーン部分２２ａに測距範囲や測光範囲などを表示するためのターゲットマーク２２ｂが一体に設けられている。スクリーン２２は、撮像光学系１１を透過した被写体光束を結像する結像面であり、ここに結像された被写体像をファインダ光学系の接眼レンズ５５を介して観察する。そのためメインミラー１２から第１撮像素子１４までの光路長と、メインミラー１２からスクリーン２２までの光路長は同じ長さとなっている。なお、被写体光束はメインミラー１２で右側方に反射されているが、図３では作図上、上部に反射するように描かれている。
【００１８】
スクリーン２２の右側〈撮影者側から見た左側〉には、ハーフミラー５１が配置されており、このハーフミラー５１の背後には、結像レンズ７１、ローパスフィルタ２３、第２撮像素子２４の順に配置されている。ハーフミラー５１は被写体光束の一部を第２撮像素子２４側に透過させ、残りの一部を後述するファインダの接眼レンズ５４側に反射させる。結像レンズ７１は、スクリーン２２上に結像された被写体像を第２撮像素子２４に再結像させるためのレンズであり、不要な高周波成分を取り除くためのローパスフィルタ２３は、前述のローパスフィルタ１３と同様の構成と機能を有する。
【００１９】
第２撮像素子２４は、ローパスフィルタ２３を介して入射する被写体像を、電気信号に変換する撮像素子であり、本実施形態では、比較的低画素のＣＭＯＳ撮像素子を用いており、スルー画表示と動画撮影兼用のものである。この第２撮像素子２４は、いわゆる単板式のカラー撮像素子であり、撮像面上に色分解フィルタが配設されている。すなわち、撮像面には複数のフォトダイオードが配列されていて、各フォトダイオードに対応して、色分解フィルタに含まれる、例えば、赤（Ｒ）フィルタと緑（Ｇ）フィルタと青（Ｂ）フィルタの内の１つが配置されている。フィルタ配列としては、例えば、ベイヤー配列とする。なお、本実施形態では、ＣＭＯＳを採用したが、これに限らずＣＣＤ等の撮像素子でも構わない。
【００２０】
ハーフミラー５１の上部には、ミラー５２が配置されており、ハーフミラー５１で反射された被写体光束をこのミラー５２によって左側〈撮影者側から見た右側〉に反射する。ミラー５２の左側であって、カメラ本体２の上部には、ミラー５３が配置されている。このミラー５３の近傍であって、カメラ本体２の上部背面側には、接眼レンズ５４が配置されており、さらにこの背面側には前述のカバーガラス５５が配置されている。
【００２１】
以上の如く構成された本実施形態におけるデジタル一眼レフカメラの光学系の動作について説明する。
まず、メインミラー１２が、図３において２点鎖線で示すような第１の姿勢をとるときには、撮像光学系１１からの被写体光束はローパスフィルタ１３によって不要な高周波成分を除外した上で第１撮像素子１４上に結像される。この第１の姿勢のときには、被写体光束はスクリーン２２側に導かれないので、第２撮像素子２４には被写体光束が入射せず、スルー画表示を行うことができない。また、接眼レンズ５４にも被写体光束は導かれないので、光学的に被写体像を観察することもできない。
【００２２】
次に、メインミラー１２が、図１や図３において実線で示すような第２の姿勢をとるときには、メインミラー１２は被写体光束を側方〈図１の右側〉に反射する位置に回動される。メインミラー１２によって、右側方に反射された被写体光束はスクリーン２２上に結像する。この結像された被写体像は、ハーフミラー５１、結像レンズ７１、ローパスフィルタ２３を介して、第２撮像素子２４に再結像される。また被写体光束の一部は、ハーフミラー５１によって上方に反射され、さらにミラー５２によって左側方に反射され、ミラー５３によって後部に反射され、接眼レンズ５４を介して撮影者の眼球に結像され、被写体像を観察することができる。なお、メインミラー１２が第２の姿勢をとるときには、被写体光束は第１撮像素子には、導かれることはない。
【００２３】
続いて、図４に示す本実施形態のブロック構成図を用いて、電気的構成を説明する。前述の撮像光学系１１からの被写体光束を、ローパスフィルタ１３を介して受光する第１撮像素子１４は、第１撮像素子ドライバ１５に接続されており、この第１撮像素子ドライバ１５は、第１撮像素子１４を制御して駆動するための回路である。この第１撮像素子ドライバ１５は第１ＴＧ１６に接続されており、この第１ＴＧ１６は第１撮像素子ドライバ１５のタイミングを制御するための信号を供給する回路である。また、第１撮像素子１４はＣＤＳ／ＡＧＣ回路１７に接続されており、このＣＤＳ／ＡＧＣ回路１７は第１撮像素子１４からの信号に対して、ノイズ除去や増幅処理を行う信号処理回路である。
【００２４】
ＣＤＳ／ＡＧＣ回路１７の出力はＡ／Ｄ変換回路１８に接続されており、このＡ／Ｄ変換回路１８はＣＤＳ／ＡＧＣ回路１７から出力されるアナログ信号をデジタル信号に変換するための信号処理回路である。Ａ／Ｄ変換回路１８の出力は、ＤＳＰ１９に接続されており、このＤＳＰ１９はＣＰＵ３１からの制御信号に基づいて、所定のデジタル信号処理を行うための信号処理回路である。ＤＳＰ１９の出力はＡＥ／ＡＦ回路２０に接続されており、ＡＥ／ＡＦ回路２０は、ＤＳＰ１９から出力されるデジタル画像信号に基づいて、露出制御（ＡＥ）用の演算と、オートフォーカス（ＡＦ）制御用の演算を行う。
【００２５】
前述の撮像光学系１１からの被写体光束がメインミラー１２によって反射され、結像レンズ７１及びローパスフィルタ２３を介して受光する第２撮像素子２４は、第２撮像素子ドライバ２５に接続されており、この第２撮像素子ドライバ２５は第２撮像素子２４を制御し駆動する回路である。第２撮像素子ドライバ２５は第２ＴＧ２６に接続されており、この第２ＴＧ２６は、第２撮像素子ドライバ２５のタイミングを制御するための信号を供給するものである。また第２撮像素子２４はＣＤＳ／ＡＧＣ回路２７に接続されており、このＣＤＳ／ＡＧＣ回路２７は第２撮像素子２４からの信号に対して、ノイズ除去や増幅処理を行う信号処理回路である。
【００２６】
ＣＤＳ／ＡＧＣ回路２７の出力はＡ／Ｄ変換回路２８に接続されており、このＡ／Ｄ変換回路２８はＣＤＳ／ＡＧＣ回路２７から出力されるアナログ信号をデジタル信号に変換するための信号処理回路である。Ａ／Ｄ変換回路２８の出力は、ＤＳＰ２９に接続されており、このＤＳＰ２９はＣＰＵ３１からの制御信号に基づいて、所定のデジタル信号処理を行うための信号処理回路である。ＤＳＰ２９の出力はＡＥ／ＡＦ回路３０に接続されており、ＡＥ／ＡＦ回路３０は、ＤＳＰ２９から出力されるデジタル画像信号に基づいて、露出制御（ＡＥ）用の演算と、オートフォーカス（ＡＦ）制御用の演算を行う。
【００２７】
ＣＰＵ３１に接続されるＥＥＰＲＯＭ（Electrically Erasable Programmable Read-Only Memory）３２は、不揮発性の電気的書換可能な記憶媒体であって、このデジタル一眼レフカメラにおいて用いられる各種の補正データ、例えば、後述するように第２撮像素子２４で撮像した画像を表示する範囲を示す情報や、露出制御やオートフォーカス処理等に必要な各種補正データが、製造時に書き込まれる。
【００２８】
前述のＤＳＰ１９とＤＳＰ２９に接続されるＲＡＭ（Random Access Memory）３３は、ＤＳＰ１９、２９からの信号を一時的に記憶するためのフレームバッファ等として構成される記憶手段である。撮像が第１撮像素子１４により行われるか、あるいは第２撮像素子２４により行われるかは、メインミラー１２が第１の姿勢をとるか、第２の姿勢をとるかにによって択一的に選択されるため、ＲＡＭ３３にはＤＳＰ１９からの信号またはＤＳＰ２９からの信号の何れかが記憶される。
【００２９】
ＲＡＭ３３に接続された圧縮／伸張回路３７は、画像を記録する際に、ＲＡＭ３３に一時記憶されているデジタル画像データをＪＰＥＧ（Joint Photographic Coding Experts Group）等の圧縮処理を行うものであり、また記録媒体３８に圧縮して記録された画像データを表示用に伸張する回路でもある。圧縮／伸張回路３７は、記録媒体３８に接続されており、圧縮／伸張回路３７で圧縮された画像データを記録し、またこの記録されている画像データを圧縮／伸張回路３７に出力する。なお、この記録媒体３８は、着脱式のメモリカード等として構成されている。
【００３０】
前述のＲＡＭ３３は、Ｄ／Ａ変換回路（Digital-to-analog 変換回路）３４に接続されており、Ｄ／Ａ変換回路３４はＲＡＭ３３に記憶されているデジタル画像データをＬＣＤ３５に表示できるようにアナログ信号に変換するための回路である。Ｄ／Ａ変換回路３４の出力は前述のＬＣＤ３５に接続されており、Ｄ／Ａ変換回路３４によって変換されたアナログ画像信号に基づいて表示を行う。このＬＣＤ３５はＬＣＤドライバ３６に接続されており、ＬＣＤドライバ３６は、ＬＣＤ３５を制御して駆動し、表示制御を行う。また、このＬＣＤ３５は被写体画像の表示以外にも、撮影モードの設定やメニュー設定等の際の表示にも使用される。なお、第１撮像素子１４の出力に基づくＬＣＤ３５の表示領域は、接眼レンズ５４を介して撮影者によって観察される光学ファインダの表示領域と一致するように工場での組み立て時に調整されている。
【００３１】
電源４１はデジタル一眼レフカメラ１の各回路やモータ等の駆動源に電力を供給するものであり、例えば、二次電池を含んで構成される。この電源４１の電源電圧は電圧判定回路４２に入力され、電源電圧が判定される。電圧判定結果はＣＰＵ３１に出力され、一定の電源電圧以上の場合に、本カメラが動作するように制御される。ＣＰＵ３１に接続されたＲＯＭ（Read Only Memory）４３は、このデジタル一眼レフカメラ１の動作を制御するためのプログラムであるファームウエアが記憶された不揮発性の記録媒体である。
【００３２】
ＣＰＵ３１に接続された操作スイッチ４４は、デジタル一眼レフカメラ１のモードの切り換え（例えば、撮影モードの切り換えや画質モードの切り換え等）や、撮影動作開始などの操作を行うためのものであり、複数のスイッチ類を含んで構成される入力手段である。なお、この操作スイッチ４４には、前述したレリーズ釦５、モードダイヤル６、コントロールダイヤル７、十字釦５９、表示モード切換釦６０などが含まれる。ＣＰＵ３１は、前述の第１ＴＧ１６、ＤＳＰ１９、ＡＥ／ＡＦ回路２０、第２ＴＧ２６、ＤＳＰ２９、ＡＥ／ＡＦ回路３０、ＥＥＰＲＯＭ３２、電圧判定回路４２、ＲＯＭ４３、操作スイッチ４４等と接続されており、デジタル一眼レフカメラ１の全体を制御するための制御回路であり、マイクロプロセッサ等で構成されている。
【００３３】
次に、本実施形態におけるデジタル一眼レフカメラ１の動作について図５に示すフローチャートを用いて説明する。
まず、デジタル一眼レフカメラ１の電源がオンとなると、本フローチャートは動作を開始し、デフォルト値として、Ａモードスルー画ＬＣＤ表示を選択する（＃０１）。この状態では、撮影光学系１１を通過した被写体光束は、第２の姿勢をとるメインミラー１２により反射され、スクリーン２２に結像する。このスクリーン２２に結像した被写体像は、さらに、ハーフミラー５１、およびミラー５２、５３により反射された後に、接眼レンズ５４により、カバーガラス５５を介して、撮影者の眼球に結像される。このようにして撮影者は被写体像を光学的に観察することができる。
【００３４】
次に、表示モードスイッチ６０の状態を検出し（＃０３）、Ａモードが選択されていると、ステップ＃０５に進む。このＡモード表示は、第２撮像素子２４により撮像した被写体画像をカメラ背面に設けたＬＣＤ３５に表示するモードである。このモードにおいては、メインミラー１２は撮影光学系１１の光軸上に回動されているので、被写体光束は第１撮像素子１４には導かれない。一方、メインミラー１２によって導かれた被写体光束によってスクリーン２２上に結像した被写体像は、ハーフミラー５１を透過し、ローパスフィルタ２３を介して第２撮像素子２４の撮像面に結像されている。
【００３５】
さらに、ステップ＃０５において、第２ＴＧ２６から供給されるクロックにより、第２撮像素子ドライバ２５が第２撮像素子２４を駆動し、被写体画像の光電変換が行われる。こうして第２撮像素子２４から、アナログ画像信号が所定のフレームレートで出力される。なお、Ａモードでのスルー画表示の際には、第１ＴＧ１６は第１撮像素子ドライバ１５に信号出力は行わず、第１撮像素子は駆動されない。１フレーム毎の画像信号は、ＣＤＳ／ＡＧＣ回路２７に入力され、このＣＤＳ／ＡＧＣ回路２７内のＣＤＳ回路部により公知の相関二重サンプリングなどが行われリセットノイズが除去されると共に、このＣＤＳ／ＡＧＣ回路２７内のＡＧＣ回路部により所定の信号レベルに増幅が行われ出力される。このＣＤＳ／ＡＧＣ回路２７からのアナログ画像信号は、続くＡ／Ｄ変換回路２８によって、デジタル画像信号（画像データ）に変換される。
【００３６】
ステップ＃０５での各処理が終わると、次にステップ＃０７に進み、ＤＳＰ信号処理を行う。ＤＳＰ２９は、Ａ／Ｄ変換回路２８から出力される画像データに対して、所定の画像処理演算を行うと共に、得られた演算結果に基づいて該画像データにオートホワイトバランス処理を行う。ＤＳＰ信号処理が終わると、ＬＣＤ３５での表示を行う（＃０９）。ＤＳＰ２９によって処理された画像データは、ＲＡＭ３３に一時記憶される。このＲＡＭ３３内に記憶された画像データは、Ｄ／Ａ変換回路によってアナログ信号に変換された後に、ＬＣＤドライバ３６によって駆動されたＬＣＤ３５によりスルー画表示される。このようにして、第２撮像素子２４によって撮像された被写体像がＬＣＤ３５に表示され、撮影者はＬＣＤ３５を観察しながら、フレーミングを行うことができる。なお、Ａモードで被写体像をＬＣＤ３５に表示するにあたって、ＢモードとＡモードの表示範囲が一致していることが望ましいことから、個々の一眼レフカメラの製造時に、表示範囲が一致するように調整値を求め、ＥＥＰＲＯＭ３２に記憶しておく。ステップ＃０９においては、この調整値を読み出し、Ｂモードでの表示範囲と一致するように画像データの読み出しを行う。調整値の求め方と、この調整値を用いての画像表示については後述する。
【００３７】
続いて、レリーズ釦５が半押しされたか、即ち、１ｓｔレリーズがオンとなったか否かを判定する（＃１１）。１ｓｔレリーズが操作されずオフのときはステップ＃０５に戻り、前述のステップを繰り返す。１ｓｔレリーズが操作されオンとなった際にはステップ＃１３に進み、ＡＥ処理を行う。このステップでは、前述のＤＳＰ２９により処理された画像データを用いて、ＡＥ／ＡＦ回路３０は１フレーム（１画面）分の画像データの輝度値を算出して重み付け加算する等の処理を行うことにより、被写体の明るさに対応したＡＥ評価値を算出し、算出結果をＣＰＵ３１に出力する。ＣＰＵ３１はこのＡＥ評価値を用いて、シャッタ速度、絞り値等の露出制御値の演算を行う。なお、ＥＥＰＲＯＭ３２から補正データを読み出し、露出演算を行う。
【００３８】
ＡＥ演算が終了すると、ステップ＃１５に進み、ＡＦ処理を行う。このステップで、ＡＥ／ＡＦ回路３０は１フレーム分の画像データを用いて、輝度成分にハイパスフィルタなどを用いて高周波成分を抽出し、抽出した高周波成分の累積加算値を算出する等により高周波域側の輪郭成分等に対応したＡＦ評価値を算出し、算出結果をＣＰＵ３１に出力する。ＣＰＵ３１はこのＡＦ評価値に基づいて撮影光学系１１のピント合わせを行う。このピント合わせ動作にあたっては、ＥＥＰＲＯＭ３２から補正データを読み出し、焦点検出演算を行う。なお、焦点検出にあたって、本実施例で被写体画像の高周波成分を用いて行っているが、これに限らず、例えば位相差法など公知の焦点検出装置を用いることも可能である。
【００３９】
次に、ステップ＃１７に進み、レリーズ釦５が全押しされた、即ち、２ｎｄレリーズがオンとなったか否かを判定する。２ｎｄレリーズが操作されずにオフのときは、ステップ＃０５に戻り、前述のステップを繰り返す。２ｎｄレリーズが操作されてオンとなった際には、撮像動作を実行するためにステップ＃１９に進む。まず、メインミラー１２の姿勢を第２の姿勢から第１の姿勢となるようにメインミラー１２を撮影光路上から退避させる。メインミラー１２が第１の姿勢をとると、撮影光学系１１からの被写体光束はローパスフィルタ１３を介して、第１撮像素子１４の撮像面に結像する。
【００４０】
そして、第１ＴＧ１６から供給されるクロックに基づいて、第１撮像素子ドライバ１５が第１撮像素子１４を駆動し、被写体画像の光電変換を行う。第１撮像素子１４からアナログ画像信号がフレーム単位で出力される。なお、このときには第２ＴＧ２６は第２撮像素子ドライバ２５に信号出力を行わず、第２撮像素子２４は駆動されない。第１撮像素子１４から出力される画像信号は、第２撮像素子２４の場合と同様に、ＣＤＳ／ＡＧＣ回路１７、Ａ／Ｄ変換回路１８、ＤＳＰ１９によって、それぞれ処理され、ＲＡＭ３３に記憶される。
【００４１】
撮像動作が終了すると続いて画像保存のステップに移行する（＃２１）。ＲＡＭ３３に記憶されたデジタルの画像データは、圧縮／伸張回路３７内の圧縮回路部でＪＰＥＧ等の形式で圧縮された後に、記録媒体３８に記録され、Ａモードでの表示と撮像動作を終了する。なお、以上の動作は、モードダイヤル６にて静止画撮影モードが選択されている場合であり、動画撮影モードが選択されている場合には、２ｎｄレリーズがオンされるまでは、静止画撮影モードの場合と同じである。２ｎｄレリーズがオンとなった場合には、第１撮像素子１４から順次、読み出された画像信号に基づいて時々刻々変化するデジタル画像データが記録媒体３８に記録されると共に、ＬＣＤ３５には、時々刻々変化する被写体像が表示される。
【００４２】
ステップ＃０３に戻り、表示モード切換釦６０がＢモードに設定されている場合には、ステップ＃４１に進み、Ｂモード表示を行う。Ｂモード表示では、メインミラー１２を撮影光路上から退避するように回動させ（図３の二点鎖線の位置）、撮影光学系１１からの被写体光束が撮像素子１４上に結像する。この結像した被写体像を撮像素子１４によって撮像し、被写体画像がＬＣＤ３５に表示される。このモードで２ｎｄレリーズがオンとなると、第１撮像素子１４によって撮像された画像信号が、所定の信号処理を施されて、静止画として記録媒体３８に記録される。
【００４３】
ステップ＃４１に移行すると、まず、メインミラー１２を撮影光路から退避させ、第１撮像素子１４に被写体像を結像させる。このとき、第２撮像素子２４上に被写体像は結像されていない。この後、ステップ＃４３に進み、第１撮像素子から画像信号を読み出し、デジタル画像データを生成する。このために、まず、第１ＴＧ１６から供給されるクロックにより、第１撮像素子ドライバ１５が第１撮像素子１４を駆動し、被写体像の光電変換を行う。第１撮像素子１４から、アナログ画像信号が所定のフレームレートで出力される。なお、Ｂモードでのスルー画表示の際には、第２ＴＧ２６は第２撮像素子ドライバ２５に信号出力は行わず、第２撮像素子２４は駆動されない。１フレーム毎の画像信号は、ＣＤＳ／ＡＧＣ回路１７に入力され、このＣＤＳ／ＡＧＣ回路１７内のＣＤＳ回路部により公知の相関二重サンプリング等が行われリセットノイズが除去されると共に、このＣＤＳ／ＡＧＣ回路１７内のＡＧＣ回路部により所定の信号レベルに増幅が行われ出力されることは、Ａモードの場合と同様である。このＣＤＳ／ＡＧＣ回路１７からのアナログ画像信号は、続くＡ／Ｄ変換回路１８によって、デジタル画像信号（画像データ）に変換される。この後、ステップ＃４５に進み、ステップ＃０７と同様に、ＤＳＰ信号処理を行う。
【００４４】
続いて、ＲＡＭ３３に一時記憶された画像データに基づきＬＣＤ３５でスルー画表示を行う（＃４７）。ここでの動作は、前述のステップ＃０９と同様であるので、詳しい説明は省略する。Ａモードでは、ＬＣＤ３５によってスルー画表示を行うと共に、接眼レンズ５４を介して、被写体像を光学的に観察することができたが、Ｂモードではメインミラー１２が撮影光路から退避状態にあり、第２撮像素子２４に被写体光束を導く位置にないので、接眼レンズ５４を解して被写体像を光学的に観察することはできない。しかし、記録媒体３８に記録されるのと同じ状態で被写体像を観察することができるので、記録される被写体像はＢモード表示の方がより近いというメリットがある。
【００４５】
次に、ステップ＃４９において、レリーズ釦５が半押しされたか、即ち、１ｓｔレリーズがオンとなったか否かを判定する。１ｓｔレリーズが操作されずオフのときはステップ＃４３に戻り、前述のステップを繰り返す。１ｓｔレリーズが操作されオンとなった際にはステップ＃５１に進み、ＡＥ処理を行い、ＡＥ演算が終了すると、ステップ＃５３に進み、ＡＦ処理を行う。ステップ＃５１のＡＥ処理とステップ＃５３のＡＦ処理は、それぞれ前述のステップ＃１３、＃１５のＡＥ処理とＡＦ処理と同様であるので、詳しい説明は省略する。
【００４６】
続いて、レリーズ釦５が全押しされたか否か、即ち、２ｎｄレリーズがオンとなったか否かを判定する。２ｎｄレリーズが操作されずにオフのときは、ステップ＃４３に戻り、前述のステップを繰り返す。２ｎｄレリーズが操作されてオンとなった際には、撮像動作を実行するためにステップ＃５７に進む。Ａモードではメインミラー１２の姿勢を第２の姿勢から第１の姿勢となるようしていたが、Ｂモードでは既にステップ＃４１にてメインミラー１２を撮影光路上から退避させているので、この動作は必要ない。前述したように、Ｂモードでは、撮影光学系１１からの被写体光束はローパスフィルタ１３を介して、第１撮像素子１４の撮像面に結像している。
【００４７】
そして、第１ＴＧ１６から供給されるクロックに基づいて、第１撮像素子ドライバ１５が第１撮像素子１４を駆動し、被写体画像の光電変換を行う。第１撮像素子１４からアナログ画像信号がフレーム単位で出力される。なお、このときには第２ＴＧ２６は第２撮像素子ドライバ２５に信号出力を行わず、第２撮像素子２４は駆動されない。第１撮像素子１４から出力される画像信号は、第２撮像素子２４の場合と同様に、ＣＤＳ／ＡＧＣ回路１７、Ａ／Ｄ変換回路１８、ＤＳＰ１９によって、それぞれ処理され、ＲＡＭ３３に記憶される。撮像動作が終了すると続いて画像保存のステップに移行する（＃５９）。ＲＡＭ３３に記憶されたデジタルの画像データは、圧縮／伸張回路３７内の圧縮回路部でＪＰＥＧ等の形式で圧縮された後に、記録媒体３８に記録され、Ｂモードでの表示と撮像動作を終了する。
【００４８】
次に、ＡモードとＢモードにおける表示範囲を略一致させるための調整値の検出について、図６及び図７を用いて説明する。この調整値検出動作はデジタル一眼レフカメラを工場に組み立てる際に行うものである。
まず、第２撮像素子２４の出力に対して、エッジ部の差が顕著となるように増幅率を上げて撮像を行う（＃６１）。撮像を行うと、図７（Ａ）に示す模式図の如く、第２撮像素子２４の撮像範囲８１と、被写体画像の表示範囲８２ａ、８２ｂ、８２ｃ、８２ｅのエッジ部が現われるので、このエッジ部が明確になるように増幅率を上げて調整する。続いて、エッジ部の検出を容易にするために、ステップ＃６１で取得した画像に対してメジアンフィルタ処理を行い、画素欠陥や出力バラツキを抑えた画像データとする。なお、ここで行うメジアンフィルタ処理は、連続する複数の画素データの中央値を選択しながら、その選択範囲を変えていく処理を指す。
【００４９】
続いて、被写体画像の表示範囲８２ａ、８２ｂ、８２ｃ、８２ｅの辺ごとに２本の検出ライン８３ａ、８３ｂ、８３ｃ、８３ｄ、８３ｅ、８３ｆ、８３ｇ、８３ｈを決め、この検出ラインと各辺の交点、すなわち、エッジ点８４ａ、８４ｂ、８４ｃ、８４ｄ、８４ｅ、８４ｆ、８４ｇ、８４ｈを検出する（＃６５）。このエッジ点８４ａ、８４ｂ、８４ｃ、８４ｄ、８４ｅ、８４ｆ、８４ｇ、８４ｈは、前述のメジアンフィルタ処理を行った画素データが所定の閾値を超えた点のアドレスを求めることによって検出する。次に、表示範囲８２ａ、８２ｂ、８２ｃ、８２ｅの左右上下の四辺の直線式を求め、この四辺の交点８５ａ、８５ｂ、８５ｃ、８５ｄの座標（アドレス）を求め、それぞれの座標を（Ｘ１、Ｙ１）（Ｘ２、Ｙ２）（Ｘ３、Ｙ３）（Ｘ４、Ｙ４）とする（＃６７）。
【００５０】
次に、ステップ＃６７において求めた交点の座標（Ｘ１、Ｙ１）（Ｘ２、Ｙ２）（Ｘ３、Ｙ３）（Ｘ４、Ｙ４）から各直線の傾きを下記の式に基づいて求める。
左辺（８２ａ）の傾き＝Ｘ２−Ｘ１
右辺（８２ｂ）の傾き＝Ｘ４−Ｘ３
上辺（８２ｃ）の傾き＝Ｙ１−Ｙ４
下辺（８２ｄ）の傾き＝Ｙ３−Ｙ２
このようにして求めた直線の傾きが予め決めた値の範囲の外であった場合には、規格外の不良品として除外する（＃６９）。
【００５１】
続いて、ステップ＃７１に進み、ステップ＃６７において求めた交点の座標に基づいてあおり（台形）チェックを行う。これは、左右の直線の傾きの差が予め決めた範囲内にあるかどうか、および上下の直線の傾きの差が予め決めた範囲内にあるかどうかのチェックを行う。このチェックは、メカ的取り付け誤差や光学的な誤差により、表示範囲が歪んでいるか否かを判定し、規格外の不良品があれば除外する。
【００５２】
次に、ステップ＃６７において求めた交点の座標に基づいて表示範囲の中心点Ｐの座標（アドレス）を求め、（Ｘcen、Ｙcen）とする（＃７３）。これは、交点８５ａと交点８５ｃを結ぶ直線と、交点８５ｂと交点８５ｄを結ぶ直線の式をそれぞれ求め、この２つの直線の交点を求めればよい。中心点Ｐの検出方法としては、このやり方に限らず、例えば、表示範囲を内接する第２撮像素子２４の撮像範囲と平行な四辺形を求め、この座標から中心点を求めるやり方等、種々の方法がある。
【００５３】
続いて、ステップ＃７５に進み、光学的倍率のばらつきやメカズレから計算される第2撮像素子の最悪視野率から水平幅Ｈｗと垂直幅Ｖｗを求める。これは、接眼レンズ５４を通して観察する光学ファインダ像の視野率と、第１撮像素子１４の出力に基づいてＬＣＤ３５に表示される視野率を考慮し、第２撮像素子２４の出力に基づいてＬＣＤ３５に表示する表示領域の幅を演算する。まず、光学ファインダでの視野率を考慮すると、
Ｈｗ（ファインダ）＝［｛（Ｘ４−Ｘ１）＋（Ｘ３−Ｘ２）｝／２］
Ｖｗ（ファインダ）＝［｛（Ｙ２−Ｙ１）＋（Ｙ３−Ｙ４）｝／２］
となる。このＨｗ（ファインダ）とＶｗ（ファインダ）に、第１撮像素子１４の出力に基づいてＬＣＤ３５で表示される視野率を乗算した水平幅Ｈｗと垂直幅Ｖｗを求める。なお、ここでは各幅を画素数（ピクセル数）で求める。
【００５４】
次に、ステップ＃７７に進み、画像データの読出しの際の読み出し座標（水平スタート座標Ｘstartと垂直スタート座標Ｙstart）８６ａを求める。これは、ステップ＃７３で求めた中心点Ｐと、ステップ＃７５で求めた水平幅Ｈｗと垂直幅Ｖｗを用いて算出する。即ち、水平スタート座標Ｘstartは、中心点ＰのＸ座標から水平幅Ｈｗの１／２を減算した座標であり、垂直スタート座標Ｙstartは、中心点ＰのＹ座標から垂直幅Ｖｗの１／２を減算した座標である。続いて、ステップ＃７５で求めた水平幅Ｈｗと垂直幅Ｖｗと、ステップ＃７７で求めた水平および垂直スタート座標Ｘstart、ＹstartをＥＥＰＲＯＭ３２に書き込みを行い、本フローを終了する。
【００５５】
次に、前述の如くＥＥＰＲＯＭ３２に記憶された調整値を用い、図５のステップ＃０９において、被写体画像をＬＣＤ３５に表示する方法について説明する。
まず、ＥＥＰＲＯＭ３２から、工場で記憶した３つの調整値、即ち、水平幅Ｈｗ、垂直幅Ｖｗ、読み出しスタート座標（Ｘstart、Ｙstart）を読み出す。ＲＡＭ３３に記憶されたデジタル画像データは、第２撮像素子２４の撮像範囲８１に対応するデータである。そこで、ＲＡＭ３３に記憶されたデジタル画像データを読み出す際、ＥＥＰＲＯＭ３２に記憶された３つのデータを用い、各画像データが切り出し領域内の画像データであるか否かの判定を行う。判定の結果、領域内であれば、Ｄ／Ａ変換回路３４に出力し、切り出し領域外の画像データであれば、Ｄ／Ａ変換回路３４に出力しないようにする。ＬＣＤドライバ３６は出力された画像データが、ＬＣＤ３５の表示面の範囲内に丁度、納まるように表示制御を行う。
【００５６】
このように本実施形態においては、接眼レンズ５４を介して撮影者が観察できる光学ファインダの表示範囲と、第１撮像素子１４の出力に基づいてＬＣＤ３５に表示される被写体像の表示範囲は、工場での組み立て時に一致するように調整してある。また、図６に示した切り出し調整のフローにしたがって調整値を決めていることから、第２撮像素子の出力に基づいてＬＣＤ３５に表示される被写体像の表示範囲と、第１撮像素子の出力に基づいてＬＣＤ３５に表示される被写体像の表示範囲は略一致している。したがって、光学ファインダの被写体像の表示範囲と、第１撮像素子１４および第２撮像素子２４の出力に基づく被写体像の表示範囲は略一致することになる。
【００５７】
本実施形態の切り出し調整では、第１撮像素子１４と第２撮像素子２４の表示領域が略一致するように、第２撮像素子２４の画像データから表示範囲を検出し、その表示領域の中心Ｐと水平幅、垂直幅を求めて、この値から水平幅Ｈｗ、垂直幅Ｖｗ、読み出しスタート位置（Ｘstart、Ｙstart）をＥＥＰＲＯＭ３２に書き込むようにしたので、製品ごとに異なっている第２撮像素子のＬＣＤ３５への表示範囲を、電気的に調整することができる。また、本実施形態の調整においては、第１撮像素子１４と第２撮像素子２４の表示領域の中心を一致させることによって達成しているので、表示画像のズレを感じることが少ないという利点がある。
【００５８】
また、ＥＥＰＲＯＭ３２に書き込む調整値が水平幅Ｈｗ、垂直幅Ｖｗ、読み出しスタート位置（Ｘstart、Ｙstart）の３つのデータで済むことから、調整値のデータ容量を少なくすることができるという利点がある。なお、本実施形態では、調整値としては上記３データとしてが、これに限らず、例えば、読み出しスタート座標８６ａ、Ｘ方向読み出し終了座標８６ｃ、Ｙ方向読み出し終了座標８６ｂの３データとしても良いことは勿論である。この場合、調整値を求めるにあたって、前述の中心点Ｐの座標（Ｘcen、Ｙcen）、水平幅Ｈｗ、垂直幅Ｖｗを用いれば演算でき、また、ＲＡＭ３３から画像データを読み出すときには、読み出しスタート座標に対応する画像データから読み出し、Ｘ方向読み出し終了座標８６ｃとＹ方向読み出し終了座標８６ｂの範囲内のデータであれば、読み出すようにすれば良い。
【００５９】
本実施形態では、第２の撮像素子としてＣＣＤを用いたので、スルー画表示にあたって、ＣＣＤの出力にもとづく画像データの全てを一旦、ＲＡＭ３３に記憶し、ＬＣＤ３５に表示する際に、必要な画像データのみをＲＡＭ３３から選択して出力していた。しかし、撮像素子としてＣＭＯＳを用いた場合には、ＣＭＯＳから画素データを読み出す際に、所定の表示領域内にあるか否かの判定を行い、必要な画素データのみを読み出すようにしてもよいことは勿論である。この場合、全画素データを読み出す必要がなくなり、読み出し時間を短縮することができる利点がある。
【００６０】
また、本実施形態では、メインミラー１２は撮影光学系１１の光路から退避可能な可動ミラーで構成したが、これに限らず、固定のハーフミラーとすることも可能である。この場合、ハーフミラーとすることにより、光路の切換から光路分割となるために、光量が減少するが、可動部分が不要になるというメリットがある。また、本実施形態では第２撮像素子２４とファインダの接眼レンズ５４への光路はハーフミラー５１によって分割されていたが、可動ミラーとすることも可能である。可動ミラーとした場合に第２撮像素子２４によるスルー画表示を行うときには、可動ミラーを退避させ、一方、光学ファインダの接眼レンズ５４に光束を導く場合には、可動ミラーを反射位置に回動させれば良い。この方式を採用した場合には、Ａモードによるスルー画表示の際に、光学ファインダによる被写体像の観察ができなくなる不具合があるが、光量減少がなく、明るい画面で観察できるというメリットがある。
【００６１】
本実施形態においては、第１撮像素子と第２撮像素子によって撮像された画像を表示する表示部（ＬＣＤ３５）と、第２撮像素子で撮像可能な領域から、表示部に表示する領域を表す情報を記憶する表示領域記憶部（ＥＥＰＲＯＭ３２）を設けたので、表示部に表示する第１撮像素子の表示領域と第２撮像素子の表示領域を略一致させることが可能となる。
また、本実施形態においては、撮影レンズを透過した被写体像を結像するためのスクリーンを備え、第２撮像素子はこのスクリーンに結像した被写体像を撮像するようにしたので、スクリーンの組み立て誤差が発生したとしても、表示領域情報に基づいて所定領域の画像を確実に表示することができる。
さらに、本実施形態においては、スクリーンに表示した被写体像を撮影者の眼に導くための結像レンズを備えたので、撮影前に撮影被写体を光学ファインダにて確認できると共に、表示部に電子的な画像を表示することもできる一眼レフタイプの撮像装置を提供することができる。
さらに、本実施形態においては、スクリーンは矩形状の表示部を有し、表示領域情報記憶部に、スクリーンに対応する矩形状表示部の２本の対角線の交点を中心とする所定の矩形領域の情報を記憶すると共に、スクリーンに結像する像の位置と第１撮像素子により撮像する像の位置を予め調整するようにしたので、第１撮像素子により撮像する画像と表示部に表示する画像の相互の位置関係を簡単に合わせることができる。
【００６２】
本実施形態においては、第１の撮像素子の出力に基づく表示領域と、上記第２の撮像素子の出力に基づく表示領域とが略一致するように上記第１または第２の撮像素子の出力に基づく画像表示領域を調整するための調整値を記憶する表示領域記憶部（ＥＥＰＲＯＭ３２）を具備し、表示部（ＬＣＤ３５）は表示領域記憶部に記憶された調整値に基づいて表示領域を制御するようにしたので、第１撮像素子および第２の撮像素子の出力に基づく被写体像にズレが生ずることがなく、違和感のないスルー画表示を行うことができる。
また、調整値は、第１の撮像素子の出力に基づく画像の表示中心と、第２の撮像素子の出力に基づく画像の表示中心が略一致するように決めていることから、仮に、第１撮像素子と第２撮像素子への被写体光束の光学系の倍率が異なっているため、画像の大きさが一致しない場合でも、表示範囲の中心があっていることから違和感の少ないスルー画表示を行うことができる。
さらに、表示領域記憶部は、第１または第２の撮像素子の出力に基づいて表示する表示領域の切り出しスタート位置情報と、表示領域水平幅情報と、表示領域垂直幅情報を、調整値として記憶するようにしているので、調整値の記憶にあたって少ない容量で済むという利点がある。
さらに、表示領域記憶部は、第１または第２の撮像素子の出力に基づいて表示する表示領域の四隅の内の３点に対応した位置情報を、調整値として記憶するようにしているので、この実施形態においても調整値の記憶にあたって、少ない容量で済むという利点がある。
【００６３】
以上、説明した実施形態は、本発明をデジタル一眼レフカメラに本発明を適用した例であったが、デジタル一眼レフカメラに限らず、複数の撮像素子を有し、その撮像素子の出力を用いて画像を表示する撮像装置であれば、本発明を適用できる。例えば、通常のコンパクトデジタルカメラや携帯電話に内蔵されたデジタルカメラ等の撮像装置がある。
【図面の簡単な説明】
【００６４】
【図１】本発明を適用した実施形態におけるデジタル一眼レフカメラの一部内部光学系を含む外観斜視図である。
【図２】本実施形態におけるデジタル一眼レフカメラの背面図である。
【図３】本実施形態におけるデジタル一眼レフカメラの光学系を示すブロック図である。
【図４】本実施形態におけるデジタル一眼レフカメラの電気系を示すブロック図である。
【図５】本実施形態におけるデジタル一眼レフカメラの撮影動作を示すフローチャート図である。
【図６】本実施形態における切り出し調整を示すフローチャート図である。
【図７】本実施形態における切り出し調整の概念を説明する図であり、（Ａ）は表示領域の四辺の交点を求める場合、（Ｂ）は中心点を求め、読み出しスタート座標、水平幅、垂直幅を求める概念図である。
【符号の説明】
【００６５】
２・・・カメラ本体、３・・・レンズ鏡筒、１１・・・撮像光学系、１２・・・メインミラー、１３・・・ローパスフィルタ、１４・・・第１撮像素子、２２・・・スクリーン、２３・・・ローパスフィルタ、２４・・・第２撮像素子、３１・・・ＣＰＵ、３２・・・ＥＥＰＲＯＭ、３５・・・ＬＣＤ、３８・・・記録媒体、５１・・・ハーフミラー、５２・・・ミラー、５３・・・ミラー、５４・・・接眼レンズ、６０・・・表示モード切換釦、８１・・・第２撮像素子の撮像範囲、８２ａ・８２ｂ・８２ｃ・８２ｅ・・・表示範囲、８３ａ・８３ｂ・８３ｃ・８３ｄ・８３ｅ・８３ｆ・８３ｇ・８３ｈ・・・検出ライン、８４ａ・８４ｂ・８４ｃ・８４ｄ・８４ｅ・８４ｆ・８４ｇ・８４ｈ・・・エッジ点、８５ａ・８５ｂ・８５ｃ・８５ｄ・・・表示範囲の各辺の交点、８６ａ・・・読み出しスタート座標、８６ｂ・・・Ｙ方向読み出し終了座標、８６ｃ・・・Ｘ方向読み出し終了座標、８７・・・切り出し領域
【図１】
0004745077.tif 000002
【図２】
0004745077.tif 000003
【図３】
0004745077.tif 000004
【図４】
0004745077.tif 000005
【図５】
0004745077.tif 000006
【図６】
0004745077.tif 000007
【図７】
0004745077.tif 000008